(57)【要約】【課題】内圧がかかる構造物の開口部において、内圧がかかっているときに蓋が外れてしまうことを防止することが可能な開口部構造および微細気泡発生装置を提供することを目的とする。【解決手段】本発明にかかる開口部構造の構成は、内圧がかかる構造物（本体部２１０）の円筒形の開口部２１０ａに、開口部２１０ａを覆う円筒形の蓋２３０が取り付けられる開口部構造において、構造物の開口部の外周面２１２には、開口部の開口端から軸方向に延びる縦溝２１６ａと、縦溝に連続して円周方向に延びる横溝２１６ｂからなるＬ字溝２１４が備えられていて、蓋２３０の内周面２３２にはＬ字溝２１４に嵌る爪２３４が備えられていて、Ｌ字溝の横溝の開口端側の面、または爪の開口端側の面の少なくとも一方に、構造物に内圧がかかったときに爪２３４の円周方向の移動を規制する突起部２２０を有することを特徴とする。【選択図】  図４
2018033652.tif 000002
【特許請求の範囲】
【請求項１】
内圧がかかる構造物の円筒形の開口部に、該開口部を覆う円筒形の蓋が取り付けられる開口部構造において、
前記構造物の開口部の外周面には、該開口部の開口端から軸方向に延びる縦溝と、該縦溝に連続して円周方向に延びる横溝からなるＬ字溝が備えられていて、
前記蓋の内周面には前記Ｌ字溝に嵌る爪が備えられていて、
前記Ｌ字溝の横溝の開口端側の面、または前記爪の開口端側の面の少なくとも一方に、前記構造物に内圧がかかったときに該爪の円周方向の移動を規制する突起部を有することを特徴とする開口部構造。
【請求項２】
前記蓋の内側に取り付けられるパッキンを更に備え、
前記パッキンは円筒部を有し、
前記円筒部は、前記構造物に内圧がかかったときに該構造物の開口部の内周面に圧接されることを特徴とする請求項１に記載の開口部構造。
【請求項３】
前記構造物側に設置される磁気センサと、前記蓋側に設置される磁石とを更に含み、
前記蓋が取り付けられて前記構造物の開口部が閉状態となっているとき前記磁気センサが前記磁石を検出可能であることを特徴とする請求項１または２に記載の開口部構造。
【請求項４】
前記磁気センサは、前記構造物の開口部の外周面のうち前記Ｌ字溝が形成されていない位置に配置されていることを特徴とする請求項３に記載の開口部構造。
【請求項５】
前記Ｌ字溝および前記爪は複数対備えられていて、
少なくとも１つの対の前記Ｌ字溝および前記爪の円周方向の幅は、他の対と異なることを特徴とする請求項３または４に記載の開口部構造。
【請求項６】
前記構造物の開口部の外周面には、該外周面から突出して前記磁気センサを収容するセンサ収容部が形成されていて、
前記蓋の外周面には、該外周面から突出して前記磁石を収容する磁石収容部が形成されていて、
前記センサ収容部と前記磁石収容部は、前記蓋が取り付けられて前記構造物の開口部が閉状態となっているときに円周方向の位置が一致することを特徴とする請求項３から５のいずれか１項に記載の開口部構造。
【請求項７】
内圧がかかる本体部の円筒形の開口部に、該開口部を覆う円筒形の蓋が取り付けられる微細気泡発生装置であって、
前記本体部の開口部の外周面に形成され、該開口部の開口端から軸方向に延びる縦溝と、該縦溝に連続して円周方向に延びる横溝からなるＬ字溝と、
前記蓋の内周面に形成され前記Ｌ字溝に嵌る爪と、
前記Ｌ字溝の横溝の開口端側の面、または前記爪の開口端側の面の少なくとも一方に形成され、前記本体部に内圧がかかったときに該爪の円周方向の移動を規制する突起部と、
を備えることを特徴とする微細気泡発生装置。
【請求項８】
前記本体部に水を供給する給水経路と、
前記給水経路上に配置されるポンプと、
前記ポンプの動作を制御する制御部と、
前記本体部側に設置される磁気センサと、
前記蓋側に設置される磁石と、
を更に備え、
前記磁気センサは、前記蓋が取り付けられて前記本体部の開口部が閉状態となっているとき前記磁石を検出可能であり、
前記制御部は、前記磁気センサが前記磁石を検出していないときは前記ポンプの動作を停止することを特徴とする請求項７に記載の微細気泡発生装置。
【発明の詳細な説明】
【技術分野】
【０００１】
本発明は、内圧がかかる構造物の開口部に蓋が取り付けられた開口部構造、およびそのような開口部構造を有する微細気泡発生装置に関する。
【背景技術】
【０００２】
近年、空気のマイクロバブル（微細気泡）や炭酸ガスを発生させる気泡発生装置が設けられた浴槽が普及している。浴槽内の浴水に炭酸ガスを供給する装置としては、例えば特許文献１に炭酸泉製造装置が開示されている。特許文献１では、浴槽の浴水を循環させる循環ポンプが配設された循環流路上に炭酸ガス溶解器を設置している。そして、かかる炭酸ガス溶解器において炭酸ガスボンベから炭酸ガスを供給することにより、炭酸ガスを浴水中に発生させている。特許文献１の技術によれば、家庭の浴槽においても炭酸泉による効果が得られる。
【０００３】
しかしながら、特許文献１のように炭酸ボンベを用いる方法であると、装置が大型化したり、メンテナンスが難しかったり、高圧のボンベの管理が面倒であったりするという課題がある。そこで他の方法として、炭酸ガスを発生させるタブレットを用いる方法が考えられる。炭酸ガスを発生させるものではないが、タブレットを投入可能なタンクを備える浴槽としては、例えば特許文献２がある。特許文献２には、空気による微細気泡を発生させることに加えて、タブレットタンクに有用成分のタブレットを投入して溶解させる微細気泡発生浴槽が開示されている。
【先行技術文献】
【特許文献】
【０００４】
【特許文献１】特開２００１−１０４４３９号公報
【特許文献２】特開２００７−０００５４６号公報
【発明の概要】
【発明が解決しようとする課題】
【０００５】
例えば特許文献２に開示されているようにタブレットタンクを用いる場合、タブレットタンクにはタブレットを投入するための開口が設けられ、開口には通常時は蓋が取り付けられる。ただし特許文献２の構成においては、ポンプの上流側にタブレットタンクがあること、およびタブレットが発泡剤ではないことから、タブレットタンクには高い内圧はかからない。
【０００６】
しかしながら、タブレットに発泡剤を使用する場合、圧力が高い方が水に気体が溶解しやすいため、タブレットタンクをポンプより下流に配置したい要請がある。すると必然的に、ポンプを動かしている場合には、タブレットタンクの内圧が高くなる。また、タブレットが発泡することによる圧力の増加もある。仮にポンプを動かしているときに蓋が外れてしまったり、蓋が閉じられていないときにポンプを動かしたりすると、構造物内の流体（循環水）が噴き出してしまうおそれがある。同様の課題は、タブレットタンクのみならず、内圧がかかる構造物の開口部においても共通するものである。
【０００７】
本発明は、このような課題に鑑み、内圧がかかる構造物の開口部において、内圧がかかっているときに蓋が外れてしまうことを防止することが可能な開口部構造および微細気泡発生装置を提供することを目的としている。
【課題を解決するための手段】
【０００８】
上記課題を解決するために、本発明にかかる開口部構造の代表的な構成は、内圧がかかる構造物の円筒形の開口部に、開口部を覆う円筒形の蓋が取り付けられる開口部構造において、構造物の開口部の外周面には、開口部の開口端から軸方向に延びる縦溝と、縦溝に連続して円周方向に延びる横溝からなるＬ字溝が備えられていて、蓋の内周面にはＬ字溝に嵌る爪が備えられていて、Ｌ字溝の横溝の開口端側の面、または爪の開口端側の面の少なくとも一方に、構造物に内圧がかかったときに爪の円周方向の移動を規制する突起部を有することを特徴とする。
【０００９】
構造物に内圧がかかると、蓋には開口部から離れる方向の力がかかるが、上記構成によれば、構造物に内圧がかかっていると突起部によって爪の円周方向への移動が規制される。これにより、構造物に内圧がかかっている際には蓋の取り外しが困難になるため、蓋が外れてしまうことを防ぎ、開口部から構造物内の流体が噴き出すことを防止することが可能となる。
【００１０】
上記蓋の内側に取り付けられるパッキンを更に備え、パッキンは円筒部を有し、円筒部は、構造物に内圧がかかったときに構造物の開口部の内周面に圧接されるとよい。これにより、蓋が開口部に対して離接方向に移動しても気密性を保つことが可能となる。
【００１１】
上記構造物側に設置される磁気センサと、蓋側に設置される磁石とを更に含み、蓋が取り付けられて構造物の開口部が閉状態となっているとき磁気センサが磁石を検出可能であるとよい。磁気センサによる磁石の検出により、開口部への蓋の取付の有無を判断することができる。
【００１２】
上記磁気センサは、構造物の開口部の外周面のうちＬ字溝が形成されていない位置に配置されているとよい。構造物の開口部の外周面のうち、Ｌ字溝が形成されていない箇所は、Ｌ字溝が形成されている箇所よりも厚みが厚いため、柱部が形成される。開口部に立てかけるように蓋が置かれても、柱部に邪魔されて、蓋に配置された磁石と磁気センサとの近接が阻害される。したがって、蓋が取り付けられていないときの磁気センサによる磁石の誤検知を防ぐことができる。
【００１３】
上記Ｌ字溝および爪は複数対備えられていて、少なくとも１つの対のＬ字溝および爪の円周方向の幅は、他の対と異なることとよい。これにより、Ｌ字溝と爪が複数対あるにもかかわらず、特定の向きでしか蓋を取り付けられなくなる。したがって、磁気センサと磁石の位置を確実に合わせることが可能となる。
【００１４】
上記構造物の開口部の外周面には、外周面から突出して磁気センサを収容するセンサ収容部が形成されていて、蓋の外周面には、外周面から突出して磁石を収容する磁石収容部が形成されていて、センサ収容部と磁石収容部は、蓋が取り付けられて構造物の開口部が閉状態となっているときに円周方向の位置が一致するとよい。かかる構成によれば、センサ収容部および磁石収容部は、目立つように大きく突出している。このため使用者は、それらの位置が一致していることを視認するだけで、開口部が閉状態となっていることを確認することが可能である。
【００１５】
上記課題を解決するために、本発明にかかる微細気泡発生装置の代表的な構成は、内圧がかかる本体部の円筒形の開口部に、開口部を覆う円筒形の蓋が取り付けられる微細気泡発生装置であって、本体部の開口部の外周面に形成され、開口部の開口端から軸方向に延びる縦溝と、縦溝に連続して円周方向に延びる横溝からなるＬ字溝と、蓋の内周面に形成されＬ字溝に嵌る爪と、Ｌ字溝の横溝の開口端側の面、または爪の開口端側の面の少なくとも一方に形成され、本体部に内圧がかかったときに爪の円周方向の移動を規制する突起部と、を備えることを特徴とする。
【００１６】
上述した開口部構造における技術的思想に対応する構成要素やその説明は、当該微細気泡発生装置にも適用可能である。
【００１７】
上記本体部に水を供給する給水経路と、給水経路上に配置されるポンプと、ポンプの動作を制御する制御部と、本体部側に設置される磁気センサと、蓋側に設置される磁石と、を更に備え、磁気センサは、蓋が取り付けられて本体部の開口部が閉状態となっているとき磁石を検出可能であり、制御部は、磁気センサが磁石を検出していないときはポンプの動作を停止するとよい。
【００１８】
上記構成によれば、磁気センサによる磁石の検出の有無に応じてポンプの動作が制御される。すなわち磁気センサが磁石を検出している場合には、制御部は開口部が閉状態であると判断してポンプを動作させる。一方、磁気センサが磁石を検出していない場合には、制御部は開口部が開状態であると判断してポンプの動作を停止する。これにより、ポンプが動作していることにより本体部に内圧がかかっている状態で蓋を外すような事態をより好適に防ぐことが可能となる。
【発明の効果】
【００１９】
本発明によれば、内圧がかかる構造物の開口部において蓋が外れてしまうことを防ぎ、開口部から構造物内の流体が噴き出すことを防止することが可能な開口部構造および微細気泡発生装置を提供することができる。
【図面の簡単な説明】
【００２０】
【図１】本実施形態にかかる微細気泡発生装置を備える浴槽を例示する概略図である。
【図２】図１に示すタブレットタンクの詳細を説明する図である。
【図３】図２に示す蓋を下方から観察した斜視図である。
【図４】本体部の開口部への蓋の取付について説明する図である。
【図５】図３に示すパッキンの斜視図である。
【図６】タブレットタンクの開口部近傍の模式的な断面図である。
【図７】本体部への蓋の取付時のセンサ収容部および磁石収容部の位置を説明する図である。
【図８】本体部および蓋の平面図である。
【図９】Ｌ字溝と爪の幅について説明する図である。
【発明を実施するための形態】
【００２１】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００２２】
（浴槽）
図１は、本実施形態にかかる微細気泡発生装置を備える浴槽を例示する概略図である。なお、図１に例示する微細気泡発生装置（以下、気泡発生装置１００と称する）は、後述するタブレットタンク２００の本体部２１０を有し、かかる本体部２１０が開口部構造の構造物に相当する。したがって、以下の実施形態では、開口部構造の構造物としてタブレットタンク２００の本体部２１０を例示しながら、開口部構造についても併せて説明する。
【００２３】
また理解を容易にするために、図１では、後述する浴槽１１０以外の装置が浴槽１１０外に露出した状態を図示している。ただし、実際には、浴槽１１０以外の装置は浴槽１１０の内部、厳密には使用者が入浴するバスタブ部分の外側であってエプロン（不図示）の内側に収容されている。
【００２４】
本実施形態にかかる気泡発生装置１００は、図１に例示する浴槽１１０の内部（バスタブ部分）に貯湯された浴水１０２に炭酸ガスを含む微細気泡（不図示）を供給する。浴槽１１０には、浴槽１１０内の浴水１０２を吸い込む吸込口１１２、および浴槽１１０内に対して浴水１０２を吐出する吐出口１１４が設けられている。吸込口１１２および吐出口１１４は、給水経路１２０によって接続されている。
【００２５】
図１に示すように、給水経路１２０の経路上にポンプ１２４、タブレットタンク２００、および溶解タンク１２８が配置されている。ポンプ１２４は、吸込口１１２から浴水１０２を給水経路１２０内に吸引し、さらに下流側に圧力を高めて押し出す。タブレットタンク２００は、浴水１０２中で炭酸ガスを生じる薬剤１０４（タブレット）が投入されるタンクである。タブレットタンク２００は開閉可能になっていて、使用者が薬剤１０４を投入する。なお、タブレットタンク２００については、後に詳述する。
【００２６】
溶解タンク１２８は、ポンプ１２４を通過した浴水１０２を加圧することにより、空気弁（不図示）から混入された空気およびタブレットタンク２００において発生した炭酸ガスを浴水１０２に溶解させる。そして、溶解タンク１２８を通過した浴水１０２は、給水経路１２０を通って吐出口１１４から吐出される。このとき浴水の圧力が下がるために、溶解していた空気および炭酸ガスが発泡して微細気泡（マイクロバブル）となって供給される。
【００２７】
（気泡発生装置１００およびタブレットタンク２００）
図２は、図１に示すタブレットタンク２００の詳細を説明する図である。本実施形態にかかる気泡発生装置１００（図１参照）は、上述した給水経路１２０、ポンプ１２４、図２に示すタブレットタンク２００、および制御部１２２を含んで構成される。図２に示すように、本実施形態のタブレットタンク２００は、本体部２１０およびかかる本体部２１０に取り付けられる蓋２３０を含んで構成される。制御部１２２は、後に詳述するように本体部２１０への蓋２３０の取付の有無に応じてポンプ１２４の動作を制御する。
【００２８】
本体部２１０は、円筒形の構造物であり、内部に薬剤１０４（図１参照）が投入される。本体部２１０の上部には開口部２１０ａが形成されていて、かかる開口部２１０ａにそこを覆う円筒形の蓋２３０が取り付けられる。上述したポンプ１２４が動作することにより本体部２１０には給水経路１２０から水が供給され、このとき本体部２１０は内圧がかかった状態となる。
【００２９】
図２に示すように、本体部２１０の開口部２１０ａの外周面２１２にはＬ字溝２１４が形成されている。かかるＬ字溝２１４は、開口部２１０ａの開口端から軸方向に延びる縦溝２１６ａと、縦溝２１６ａに連続して円周方向に延びる横溝２１６ｂを有する。また本体部２１０には、Ｌ字溝２１４の横溝２１６ｂの開口端側の面２１８に突起部２２０が形成されている。突起部２２０は、本体部２１０に内圧がかかったときに、後述する爪２３４の円周方向の移動を規制する。
【００３０】
図３は、図２に示す蓋２３０を下方から観察した斜視図である。図３に示すように、蓋２３０は、円筒形の部材であり、円周方向にスライドさせることにより、本体部２１０に対する取り付けおよび取り外しが可能である。蓋２３０の内周面２３２には、本体部のＬ字溝２１４に嵌る爪２３４が形成されている。爪２３４の開口端側の面２３８には凹部２４０が形成されている。面２３８は、Ｌ字溝の面２１８と対向する面である。蓋２３０が取り付けられて本体部２１０の開口部２１０ａが閉状態となったときには、突起部２２０と凹部２４０が嵌合する。
【００３１】
図４は、本体部２１０の開口部２１０ａへの蓋２３０の取付について説明する図である。なお、説明の便宜上、図４（ａ）および（ｂ）では、本体部２１０を実線で示し、蓋２３０の内部を破線で示している。本体部２１０の開口部２１０ａに蓋２３０を取り付ける際には、まず図４（ａ）に示すように、本体部２１０のＬ字溝２１４のうち縦溝２１６ａに蓋２３０の爪２３４を挿入する。そして、蓋２３０を押し下げながら円周方向にスライドさせて爪２３４を横溝２１６ｂに沿って移動させることにより、図４（ｂ）に示すように、本体部２１０の開口部２１０ａに蓋２３０が取り付けられる。このとき、突起部２２０が凹部２４０に嵌った状態となる。
【００３２】
図４（ｂ）に示すように本体部２１０の開口部２１０ａに蓋２３０を取り付けた状態でポンプ１２４を動作させると、本体部２１０（タブレットタンク２００）の内部には内圧がかかる。すると、この内圧によって蓋２３０が上方に付勢されて爪２３４の面２３８が横溝２１６ｂの面２１８に押し付けられた状態となる。これにより、本体部２１０の内部に内圧がかかっている際には突起部２２０がより強固に凹部２４０に嵌った状態となり、かかる突起部２２０によって爪２３４の円周方向への移動が規制される。
【００３３】
上記説明したように、本実施形態の気泡発生装置１００、および気泡発生装置１００が備えるタブレットタンク２００では、タブレットタンク２００の本体部２１０（構造物）に内圧がかかっていると、突起部２２０によって爪２３４の円周方向への移動が規制され、取り外す方向への蓋２３０のスライドが困難になる。これにより、内圧がかかっている際には蓋２３０の取り外しが困難になるため、蓋２３０が外れて構造物内の流体が噴き出すことを防止することが可能となる。
【００３４】
図５は、図３に示すパッキン２５０の斜視図である。図６はタブレットタンク２００の開口部近傍の模式的な断面図である。なお、図６（ａ）および（ｂ）では、本体部２１０のＬ字溝２１４、および蓋２３０の爪２３４を不図示としている。
【００３５】
図３に示したように、本実施形態では、蓋２３０の内側にはパッキン２５０が取り付けられる。図５および図６（ａ）に示すように、パッキン２５０は、蓋２３０の天面２３０ａと当接する平面部２５２と、平面部２５２の縁の近傍から立設する円筒部２５４とを有する。
【００３６】
一方、本体部２１０の内周面２１０ｂのうち開口部２１０ａ近傍には、図６（ａ）に示すようにパッキン２５０の円筒部２５４とほぼ同じ径を有する当接部２２２が形成されている。これにより、図６（ｂ）に示すように蓋２３０を本体部２１０の開口部２１０ａに取り付けると、パッキン２５０の円筒部２５４が当接部２２２の内側に配置される。
【００３７】
図６（ｂ）に示すように本体部２１０の開口部２１０ａに蓋２３０を取り付けた状態でポンプ１２４を動作させると、上述したように本体部２１０には内圧がかかる。すると、パッキン２５０の円筒部２５４には径が広がる方向（当接部２２２に密着させる方向）の圧力がかかる。これにより、本体部２１０に内圧がかかると、円筒部２５４は、開口部２１０ａの内周面２１０ｂに形成された当接部２２２に圧接される。したがって、開口部２１０ａをより好適に封止することができ、気密性を高めることが可能となる。
【００３８】
また先に述べたように、本実施形態では、本体部２１０に内圧がかかると蓋２３０が上方に付勢されて爪２３４の面２３８が横溝２１６ｂの面２１８に押し付けられた状態となる。このとき、図６（ｂ）に示すようにパッキン２５０が円筒部２５４を有することにより、蓋２３０が若干押し上げられた状態となっても、すなわち蓋２３０が開口部２１０ａに対して離接方向に移動しても、気密性を保つことが可能である。
【００３９】
更に、上述したように蓋２３０の内側にパッキン２５０が配置されることにより、図４（ａ）および（ｂ）に示すように本体部２１０の開口部２１０ａに蓋２３０を取り付ける際、蓋２３０にはパッキン２５０による反力がかかる。すなわち、ポンプ１２４による圧力がかかっていなくても、パッキン２５０の反力によって爪２３４の面２３８は横溝２１６ｂの面２１８に押しつけられている。これにより、使用者は突起部２２０が凹部２４０に嵌った際の感触を得やすくなるため、蓋２３０を開口部２１０ａに確実に取り付けられたか否かを容易に判断することが可能となる。
【００４０】
また本実施形態のタブレットタンク２００の更なる特徴として、図２に示すように本体部２１０側には磁気センサ２６０が配置される。一方、図３に示すように蓋２３０側には磁石２７０が配置される。磁気センサ２６０は、蓋２３０が取り付けられて本体部２１０の開口部２１０ａが閉状態となっているときに磁石２７０を検出する。かかる構成によれば、制御部１２２は、磁気センサ２６０による磁石２７０を検出することにより、開口部２１０ａへの蓋２３０の取付の有無を判断することができる。
【００４１】
そして制御部は、磁気センサ２６０が磁石２７０を検出しているとき、すなわち開口部２１０ａに蓋２３０が取り付けられていると判断したときは、ポンプ１２４の動作を許可する。一方、磁気センサ２６０が磁石２７０を検出していないときは、ポンプ１２４の動作を許可せず、動作中であれば停止する。このようにして、蓋２３０が外れた状態でポンプ１２４が動作することを防止することができる。
【００４２】
また本実施形態では、本体部２１０の開口部２１０ａの外周面２１２のうち、Ｌ字溝２１４が形成されていない位置に磁気センサ２６０を配置している。詳細には、図２に示すように、開口部２１０ａの外周面２１２のうち、Ｌ字溝２１４が形成されていない箇所は、Ｌ字溝２１４が形成されている箇所よりも厚みが厚いため、柱部２２４が形成される。
【００４３】
そして本実施形態では、磁気センサ２６０は柱部２２４の下方に配置されている。これにより、磁気センサ２６０の真上は柱部２２４に邪魔されて物が近づけなくなる。すると、蓋２３０を締めるのではなく開口部２１０ａの脇に置かれても、柱部に邪魔されて、蓋２３０に配置された磁石２７０と磁気センサ２６０との近接が阻害される。したがって、蓋２３０が取り付けられていないときの磁気センサ２６０による磁石２７０の誤検知を防ぐことができる。
【００４４】
更に本実施形態では、図２に示すように、本体部２１０の開口部２１０ａの外周面２１２には、磁気センサ２６０を収容するセンサ収容部２２６が目立つように大きく突出して形成されている。一方、蓋２３０の外周面２３０ｂには、磁石２７０を収容する磁石収容部２４６が目立つように大きく形成されている。
【００４５】
図７は、本体部２１０への蓋２３０の取付時のセンサ収容部２２６および磁石収容部２４６の位置を説明する図である。図４（ａ）に示すように本体部２１０への蓋２３０の取付前の状態、すなわち蓋２３０の爪２３４がＬ字溝２１４のうち縦溝２１６ａに位置している状態では、図７（ａ）に示すように、センサ収容部２２６と磁石収容部２４６とは、円周方向で一致しない位置（異なる位置）にある。そして、図４（ｂ）に示すように蓋２３０を本体部２１０に取り付けた状態、すなわち開口部２１０ａが閉状態となっているとき、図７（ｂ）に示すように、センサ収容部２２６および磁石収容部２４６の円周方向の位置が一致する。
【００４６】
上記構成によれば、センサ収容部２２６および磁石収容部２４６の円周方向の位置を一致させることにより、磁気センサ２６０と磁石２７０の円周方向の位置が確実に一致する。したがって、開口部２１０ａが閉状態のときに磁気センサ２６０が磁石２７０を確実に検出することができる。またセンサ収容部２２６および磁石収容部２４６の円周方向の位置が一致していることを視認するだけで、使用者は開口部２１０ａが確実に閉状態となっていることを確認することが可能となる。
【００４７】
図８は、本体部２１０および蓋２３０の平面図である。上述したように磁石収容部２４６が蓋２３０の外周面２３０ｂから大きく突出している。磁石２７０は磁石収容部２４６の外周から離れて配置されている。換言すれば、磁石２７０は磁石収容部２４６のうち蓋２３０の中央寄りに配置されている。これにより、図８に示すように蓋２３０を本体部２１０の開口部２１０ａに近づけた際、磁気センサ２６０への磁石２７０の近接が磁石収容部２４６によって防がれる。これにより、蓋２３０を本体部２１０に近づけた際の磁気センサ２６０の誤検知をより確実に防止することが可能となる。
【００４８】
図９は、Ｌ字溝と爪の幅について説明する図である。図９（ａ）は、本体部２１０の開口部２１０ａ側を上から観察した平面図であり、図９（ｂ）は、蓋２３０を下から観察した底面図である。図９（ａ）および（ｂ）に示すように、本体部２１０および蓋２３０にはそれぞれ、複数対のＬ字溝および爪が形成されている。
【００４９】
詳細には、図９（ａ）に示すように、本体部２１０には３つのＬ字溝２１４ａ・２１４ｂ・２１４ｃが形成されている。一方、図９（ｂ）に示すように、蓋２３０には３つのＬ字溝２１４ａ〜２１４ｃのそれぞれに対応する位置に３つの爪２３４ａ・２３４ｂ・２３４ｃが形成されている。
【００５０】
本実施形態では、３つのＬ字溝２１４ａ〜２１４ｃのうち、２つのＬ字溝２１４ａ・２１４ｂは円周方向の幅が同じであり、１つのＬ字溝２１４ｃはそれらよりも円周方向の幅が狭くなっている。また３つの爪２３４ａ〜２３４ｃのうち、２つの爪２３４ａ・２３４ｂは円周方向の幅が同じであり、１つの爪２３４ｃはそれらよりも円周方向の幅が狭くなっている。すなわち、３つの対のＬ字溝２１４ａ〜２１４ｃおよび爪２３４ａ〜２３４ｃのうち、１つの対のＬ字溝２１４ｃおよび爪２３４ｃの円周方向の幅は、他の対のＬ字溝および爪と異なっている。幅の広い爪２３４ａ・２３４ｂは、幅の狭いＬ字溝２１４ｃに嵌まることができない。これにより、Ｌ字溝と爪が複数対あるにもかかわらず、本体部２１０に蓋２３０を嵌める際に特定の向きでしか蓋２３０を取り付けられなくなる。したがって、磁気センサ２６０と磁石２７０の位置を確実に合わせることが可能となる。
【００５１】
なお、上記説明した実施形態では開口部構造に含まれる構造物としてタブレットタンク２００の本体部２１０を例示したが、これに限定するものではない。例えば、配管に設けられた配管口等、内圧がかかる構造物およびそこに取り付けられる蓋が含まれる開口部構造であれば他の構造物にも本発明を適用することが可能である。
【００５２】
また上記実施形態では、Ｌ字溝２１４の横溝２１６ｂの開口端側の面２１８に突起部２２０を設け、爪２３４においてＬ字溝２１４の面２１８と対向する面２３８に凹部２４０を設ける構成を例示した。しかし、突起部２２０および凹部２４０の配置を逆とした構成も可能である。更に、突起部２２０が爪２３４の円周方向の移動を規制可能であるならば、必ずしも凹部２４０を設ける構成としなくてもよい。
【００５３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５４】
本発明は、内圧がかかる構造物の開口部に蓋が取り付けられた開口部構造、およびそのような開口部構造を有する微細気泡発生装置に適用することができる。
【符号の説明】
【００５５】
１００…気泡発生装置、１０２…浴水、１０４…薬剤、１１０…浴槽、１１２…吸込口、１１４…吐出口、１２０…給水経路、１２２…制御部、１２４…ポンプ、２００…タブレットタンク、２１０…本体部、２１０ａ…開口部、２１０ｂ…内周面、２１２…外周面、２１４…Ｌ字溝、２１４ａ…Ｌ字溝、２１４ｂ…Ｌ字溝、２１４ｃ…Ｌ字溝、２１６ａ…縦溝、２１６ｂ…横溝、２１８…面、２２０…突起部、２２２…当接部、２２４…柱部、２２６…センサ収容部、２３０…蓋、２３０ａ…天面、２３０ｂ…外周面、２３２…内周面、２３４…爪、２３４ａ…爪、２３４ｂ…爪、２３４ｃ…爪、２３８…面、２４０…凹部、２４６…磁石収容部、２５０…パッキン、２５２…平面部、２５４…円筒部、２６０…磁気センサ、２７０…磁石
【図１】
2018033652.tif 000003
【図２】
2018033652.tif 000004
【図３】
2018033652.tif 000005
【図４】
2018033652.tif 000006
【図５】
2018033652.tif 000007
【図６】
2018033652.tif 000008
【図７】
2018033652.tif 000009
【図８】
2018033652.tif 000010
【図９】
2018033652.tif 000011